(57)【要約】      （修正有）【課題】イヤホン用イヤーピースを提供する。【解決手段】イヤホン用イヤーピースは、上傘部１０と下傘部２０とを含む。上傘部が上部中空チューブ１１と該上部中空チューブの頂端を環囲する上傘１２とを備える。下傘部は、下部中空チューブ２１と下部中空チューブの頂端を環囲する下傘２２とを備える。下部中空チューブが該下傘の頂端から緩衝部２３を設け、緩衝部が上部中空チューブに連通し、且つ下傘部の硬度が上傘部の硬度よりやや大きく、上傘部を容易に耳穴の奥に入り込ませ、下傘部がやや硬いため耳道を密閉できる。緩衝部の硬度が丁度良いため、柔らかく容易に曲がることで、耳道内に入り込み難いという欠陥が無くなり、イヤホンのサウンド効果や品質を発揮する。【選択図】図１
2018042243.tif 000002
【特許請求の範囲】
【請求項１】
上部中空チューブと前記上部中空チューブの頂端を環囲する上傘とを備える上傘部と、
下部中空チューブと前記下部中空チューブの頂端を環囲する下傘とを備え、前記下部中空チューブが前記下傘の頂端から緩衝部を延設し、前記緩衝部が前記上部中空チューブに連通し、前記上傘の底縁の直径が前記下傘の底縁の直径より小さく、且つ硬度が前記上傘部の硬度よりやや大きい下傘部と、
を含むことを特徴とするイヤホン用イヤーピース。
【請求項２】
前記緩衝部は、環状凹溝であることを特徴とする請求項１に記載のイヤホン用イヤーピース。
【請求項３】
前記上傘と前記上部中空チューブの間に上傘空間を有し、且つ前記下傘と前記下部中空チューブの間に下傘空間を有することを特徴とする請求項２に記載のイヤホン用イヤーピース。
【請求項４】
前記上傘部の硬度は、約３０±５であることを特徴とする請求項３に記載のイヤホン用イヤーピース。
【請求項５】
前記上傘部は、シリコンを含む素材であることを特徴とする請求項４に記載のイヤホン用イヤーピース。
【請求項６】
前記下傘部の硬度は、約４０±５であることを特徴とする請求項４に記載のイヤホン用イヤーピース。
【請求項７】
前記下傘部は、シリコンを含む素材であることを特徴とする請求項６に記載のイヤホン用イヤーピース。
【請求項８】
前記下傘部は、合成ゴムを含む素材であることを特徴とする請求項１に記載のイヤホン用イヤーピース。
【請求項９】
前記下傘部は、熱可塑性エラストマー（ＴＰＥ）を含む素材であることを特徴とする請求項１に記載のイヤホン用イヤーピース。
【発明の詳細な説明】
【技術分野】
【０００１】
本発明は、イヤホン用イヤーピースに関し、特に、第１金型組を使用して柔らかい上傘部を形成し、そして上傘部を第２金型組に入れることで、硬度が比較的高い下傘部を接合して形成するイヤホン用イヤーピースに関する。
【背景技術】
【０００２】
従来のイヤホン用イヤーピースは、特許文献１に開示されるように、主に中空管体の一端にハウジング本体を延設し、出力側に緩衝体を設けることで、曲げることが可能なハウジング本体を形成し、容易に耳道内に挿入することができるが、耳穴の奥に入り込むことができないため脱落しやかった。よって、特許文献２に開示されるのは、中空管体の頂端に上傘部を延設し、中間に下傘部を設け、下傘部頂端の中空管体に緩衝体を設けることで曲げることが可能な上傘部を形成する。上傘部が耳穴の奥に入り込むことができることで、脱落し難くなっているが、成形時使用する材料の硬度が小さいためやはり脱落しやすく、硬度を高くすると、装着時耳道が圧迫を受けるため、快適性に欠いていた。
【０００３】
また、従来のイヤホン用イヤーピースの上傘部と下傘部の硬度が同一であり、上傘部の寸法が異なる時、単一の下傘部の金型装置と組み合わせて使用することができず、一体成形の金型装置を別途開発する必要があるため、製造における柔軟性に欠け、複数組の金型を無駄にしてしまう。
【０００４】
よって、上記課題について、如何にしてイヤホン用イヤーピースの全体的な構造を耳道に挿入した時、より一層快適で且つ脱落し難くすることで、聞く音質を改善するかが、実際この分野の改良が急務の課題となり、関連業者が研究開発を努力して突破する目標及び方向性にもなっていた。
【先行技術文献】
【特許文献】
【０００５】
【特許文献１】台湾特許公開公報第２０１３０９０４８号
【特許文献２】台湾特許公告第Ｄ１５３５５６号
【発明の概要】
【発明が解決しようとする課題】
【０００６】
これに鑑み、本発明の発明者は、長年に渡り関連製品の製造開発と設計に従事してきた経験により、上記課題について詳細設計及び慎重な評価を行い、ついに本発明のイヤホン用イヤーピースを開発し、イヤホン用イヤーピースは２組の異なる金型及び材料で製造された中空チューブを含み、耳に伝わってくるサウンド効果にマルチレベルの変化を生ませる。
【課題を解決するための手段】
【０００７】
本発明の１つの目的は、イヤホン用イヤーピースを提供することであり、イヤホン用イヤーピースが上部中空チューブと該上部中空チューブの頂端を環囲する上傘とを備える上傘部と、下部中空チューブと該下部中空チューブの頂端を環囲する下傘とを備え、該下部中空チューブが該下傘の頂端から緩衝部を延設し、該緩衝部が該上部中空チューブに連通し、該上傘の底縁の直径が該下傘の底縁の直径より小さく、且つ硬度が該上傘部の硬度よりやや大きい下傘部と、を含む。これを介して、上傘の硬度が小さいことで内耳道内に入り込みやすくなるため、圧迫感が生じることなく、下傘の硬度がやや大きいことで脱落し難く、且つ下傘部の硬度が丁度良いため、柔らかく容易に曲がることで、耳道内に入り込み難いという欠陥が無くなり、イヤホンのサウンド効果や品質を発揮できる。
【０００８】
一実施例において、該緩衝部は、環状凹溝である。
【０００９】
一実施例において、該上傘と上部中空チューブの間に上傘空間を有し、且つ該下傘と該下部中空チューブの間に下傘空間を有する。
【００１０】
一実施例において、該上傘部の硬度は、約３０±５である。
【００１１】
一実施例において、該上傘部は、シリコンを含む素材である。
【００１２】
一実施例において、該下傘部の硬度は、約４０±５である。
【００１３】
一実施例において、該下傘部は、シリコンを含む素材である。
【００１４】
一実施例において、該下傘部は、合成ゴムを含む素材である。
【００１５】
一実施例において、該下傘部は、熱可塑性エラストマー（ＴＰＥ）を含む素材である。
【図面の簡単な説明】
【００１６】
【図１】本発明に係るイヤホン用イヤーピースを示す模式図である。
【図２】本発明に係るイヤホン用イヤーピースの第１金型組の断面図である。
【図３】本発明に係るイヤホン用イヤーピースの第２金型組の分解図である。
【図４】本発明に係るイヤホン用イヤーピースの第２金型組の断面図である。
【発明を実施するための形態】
【００１７】
以下に、本発明の目的、特徴及び効果を十分理解してもらうため、下記の具体的な実施例について添付図面に基づき、本発明を詳細に説明する。
【００１８】
まず、図１を参照すると、本発明に係るイヤホン用イヤーピースを示す模式図である。本発明に係るイヤホン用イヤーピースは、シリコンを含む素材で製造され、その硬度が約３０±５であり、上部中空チューブ１１と該上部中空チューブ１１の頂端を環囲する上傘１２とを備え、且つ上傘１２と上部中空チューブ１１の間に上傘空間１３を有する上傘部１０と、合成ゴム素材で製造され、又はシリコン或いは熱可塑性エラストマー（ＴＰＥ）とすることもよく、硬度が該上傘部１０よりやや大きく、約４０±５であり、下部中空チューブ２１と該下部中空チューブ２１の頂端を環囲する下傘２２とを備え、該下部中空チューブ２１の頂端に環状凹溝を備えた緩衝部２３を延設し、また緩衝部２３が該上部中空チューブ１１に連通し、且つ下傘２２と該下部中空チューブ２１の間にも下傘空間２４を有し、また該上傘１２の底縁の直径が該下傘２２の底縁の直径より小さい下傘部２０と、を含む。
【００１９】
次に、図２乃至図４を参照すると、本発明に係るイヤホン用イヤーピースの上傘部１０及び下傘部２０は、各々第１金型組３０及び第２金型組４０を通じ成形し、第１金型組３０が上型３１と下型３２とを含み、該上型３１と下型３２の間に上傘キャビティー３３を形成し、その上型３１の中心に突出部３１１を有し、該突出部３１１に上型凹溝３１２を周設し、また該下型３２の中心に半円形の凹溝３２１を有し、図１に示すような上傘部１０を成形するために用いられる。更に図３乃至図４を参照すると、本発明に係るイヤホン用イヤーピースの第２金型組の分解図及び断面図であり、第２金型組４０は第１金型４１と第２金型４２と第３金型４３と第４金型４４と第５金型４５とを含み、第１金型４１と第２金型４２の間に上傘収容キャビティーａ１を形成して、上傘部１０を収容するため供され、また該第２金型４２と第３金型４３と第４金型４４の間に下傘キャビティーａ２を形成し、下傘キャビティーａ２の底端に内方へ凹設する環状緩衝キャビティーａ２１を形成し、該上傘収容キャビティーａ１と該下傘キャビティーａ２が連接してイヤーピースキャビティーＡとなり；第４金型４４は、突出状の中空フィードパイプ４４１と複数の貯槽４４２とを備え、第５金型４５が複数の突出部４５１を含むことで、貯槽４４２を嵌め込ませることができ、貯槽４４２が中空フィードパイプ４４１から下傘キャビティーａ２に注入させ、図１に示すような下傘部２０を成形させるために用いられ、また上傘部１０と下傘部２０を接合してイヤホン用イヤーピースが形成される。
【００２０】
本発明は、硬度が約３０±５のシリコンを第１金型組３０に入れて上傘部１０を成形し、更に上傘部１０を第２金型組４０の上傘収容キャビティーａ１に入れ、そして硬度が約４０±５のシリコンを第４金型４４の貯槽４４２内に入れ、最後に第５金型４５を第４金型４４に嵌め込み、そのシリコンを下傘キャビティーａ２に注入して下傘部２０を成形するために用いられ、上傘部と下傘部を接合させてイヤホン用イヤーピースとなり、上傘部１０が比較的柔らかいため、耳穴の奥に入り込みやすく、下傘部２０がやや硬いため耳道を密閉でき、且つ緩衝部が丁度良い硬度を持つため、適度に曲げることができることで、上傘部が耳道に入るのを補助し、上傘部が耳穴の奥に入り込み難い或いは容易に脱落するという欠陥を改善し、イヤホンのサウンド効果や品質を発揮できる。
【００２１】
発明の詳細な説明の項においてなされた好ましい実施例は、あくまでも本発明の技術内容を明らかにするものであって、そのような具体例にのみ限定して狭義に解釈されるべきものではないことは当業者にとって明白だろう。ここで留意すべき点は、当該実施例との等価構造変化及び置換は、いずれも本発明の範疇内にカバーする。よって本発明の保護範囲は、特許請求の範囲で特定するものに準じる。
【符号の説明】
【００２２】
１０  上傘部
１１  上部中空チューブ
１２  上傘
１３  上傘空間
２０  下傘部
２１  下部中空チューブ
２２  下傘
２３  緩衝部
２４  下傘空間
３０  第１金型組
３１  上型
３１１  突出部
３１２  上型凹溝
３２  下型
３２１  凹溝
３３  上傘キャビティー
４０  第２金型組
４１  第１金型
４２  第２金型
４３  第３金型
４４  第４金型
４４１  中空フィードパイプ
４４２  貯槽
４５  第５金型
４５１  突出部
Ａ  イヤーピースキャビティー
ａ１  上傘収容キャビティー
ａ２  下傘キャビティー
ａ２１  緩衝キャビティー
【図１】
2018042243.tif 000003
【図２】
2018042243.tif 000004
【図３】
2018042243.tif 000005
【図４】
2018042243.tif 000006